(57)【要約】      （修正有）【課題】横一列のポット苗をポット苗箱から受け入れ、これを下方に搬送すると同時に前後方向の向きを反転させるポット苗の反転供給装置を有するポット苗用移植機において、苗受けの下方への回転移動及び反転に際してポット苗の根鉢が苗受けから抜け出すのを防止する。【解決手段】間欠回転する駆動軸２２に送りアーム２３が回転対称的に固定され、各送りアーム２３に苗受けアーム９を介して苗受け１Ａ，１Ｂが取り付けられる。駆動軸２２が間欠回転すると、苗受け１Ａ，１Ｂは上方停止位置（苗受入位置）とそこから１８０°回転した下方停止位置で停止しながら間欠回転し、苗受入位置で横一列のポット苗を順次受け入れる。受け入れられたポット苗は、下方の苗取出位置において取り出される。カムローラ２６がカム２７に沿って転動することにより、苗受けアーム９が所定のタイミングで所定角度揺動する。【選択図】図１
2011019410.tif 000002
【特許請求の範囲】
【請求項１】
苗載台上のポット苗箱から押し出された横一列のポット苗の各根鉢部を受け入れる断面凹状の苗ホールド部を有し、前記苗載台の近傍の苗受入位置で前記横一列のポット苗の各根鉢部を前記苗ホールド部に受け入れ、下方の苗取出位置に向けて回転移動するとき反転して前記ポット苗を下方に搬送すると共に前後方向の向きを反転させる苗受けと、前記苗取出位置の下方に水平支持され、前記苗取出位置にきた前記苗受けから取り出されたポット苗を載置し搬送する無端状横搬送ベルトと、前記無端状横搬送ベルトの端縁から送り出されるポット苗を圃場に植え付ける植付装置を備えたポット苗用移植機において、一方向に回転する駆動軸に複数個の送りアームが回転対称的に固定され、各送りアームにそれぞれ苗受けが設置され、各苗受けは、前記駆動軸の回転に伴い、前記駆動軸の周囲を同方向に回転移動し、その回転移動の過程で前記苗受入位置で横一列のポット苗を順次受け入れ、続いて下方の苗取出位置において前記ポット苗を取り出されることを特徴とするポット苗用移植機。
【請求項２】
前記駆動軸が間欠回転し、前記苗受けが前記苗受入位置において一時停止することを特徴とする請求項１に記載されたポット苗用移植機。
【請求項３】
各苗受けに苗受けアームが設置され、各苗受けは前記苗受けアームを介して前記送りアームに設置されていることを特徴とする請求項１又は２に記載されたポット苗用移植機。
【請求項４】
前記苗受けアームが前記送りアームに回動自在に軸支され、前記苗受けアームは前記駆動軸の回転に伴って所定角度往復回動し、前記苗受けが前記苗受入位置から回転移動する際に、前記駆動軸側に回動することを特徴とする請求項３に記載されたポット苗用移植機。
【請求項５】
前記苗受けアームを所定角度往復回動させる機構として、機体に設置されたカムと、前記苗受けアームに設置され前記カムに沿って転動するカムローラからなるカム機構を有することを特徴とする請求項４に記載されたポット苗用移植機。
【発明の詳細な説明】
【技術分野】
【０００１】
本発明は、稲や野菜等の根鉢の付いたポット苗を圃場に移植するポット苗用移植機の改良に関する。
【背景技術】
【０００２】
例えば特許文献１には、横一列のポット苗をポット苗箱から受け入れ、これを下方に搬送すると同時に前後方向の向きを反転させるポット苗の反転供給装置と、この反転供給装置により供給されたポット苗を載置して水平面内で搬送する無端状横搬送ベルトと、前記無端状横搬送ベルトの端縁から送り出されるポット苗を圃場に植え付ける植付装置を備えたポット苗用移植機が記載されている。
特許文献１及び図８，９を参照して、従来のポット苗用移植機について説明する。
【０００３】
ポット苗用移植機においては、多数のポット苗室を連設した可撓性のポット苗箱が苗載台内を湾曲して一列分づつ間欠送りされ、所定位置で苗載台の後方に設けられた押出杆がポット苗箱の横一列のポット苗室に底面側から突入し、ポット苗を前方に押し出す（以上は特許文献１参照）。押し出されたポット苗の根部は、前方の苗受入位置に停止した苗受け１の断面凹状の苗ホールド部１ａ内に押し込まれる。
続いて、ポット苗（図示せず）を受け取った苗受け１は、下方に回転移動しながら反転し、ポット苗を下方に搬送すると共にポット苗の前後方向の向きを１８０度反転させ、このとき苗受け１の苗ホールド部１ａがポット苗の根部側を先にして跳ね出し部材２の位置を通過し、停止する（図８の仮想線参照）。
【０００４】
苗受け１の苗ホールド部１ａが跳ね出し部材２の位置を通過するとき（この位置が苗受け１にとっての苗取出位置である）、ポット苗は苗ホールド部１ａから押し出され、跳ね出し部材２はポット苗が苗ホールド部１ａから抜け切ると同時に下方に（矢印Ｘで示す）素早く回動し、ポット苗を下方の無端状横搬送ベルト３上に落下させる。なお、ポット苗を自然落下に任せず強制的に落下させるのは、動いている無端状横搬送ベルト３の所定位置に素早く確実にポット苗を供給するためである。
無端状横搬送ベルト３は落下したポット苗を載置して機体の横方向に搬送し、端縁から順次送り出し、送り出されるポット苗は図示しない植付装置により圃場に植え付けられる。
【０００５】
前記苗受け１は前記反転供給装置の一部である。この反転供給装置は、一定速度で連続回転するクランク軸４ａを有する駆動クランク４と、前記苗受け１と、前記駆動クランク４と苗受け１の間に配置された伝動機構５及び反転機構６からなる。クランク軸４ａはポット苗用移植機の駆動源（エンジン）の動力の一部により回転する。
この伝動機構５は、機体７に上下揺動自在に軸支（支持軸８）された支持アーム９と、苗受け１の下端に固定され支持アーム９の先端に軸支（支持軸１０）された一対の苗受けアーム１１と、機体７に揺動自在に軸支（支持軸８）された揺動アーム１３と、揺動アーム１３と支持アーム９の間を連結するスプリング機構１４（詳細は特許文献１参照）と、駆動クランク４のクランクピン４ｂと揺動アーム１３の間を連結する上下送りロッド１５からなる。また、機体７に支持アーム８のストッパー１６が設置されている。
【０００６】
この伝動機構において、上下送りロッド１５、揺動アーム１３、スプリング機構１４、支持アーム９、苗受けアーム１１が駆動クランク４から苗受け１への動力の伝動経路となる。具体的には、駆動クランク４が回転すると上下送りロッド１５が作動して揺動アーム１３が揺動し、揺動アーム１３の揺動はスプリング機構１４を介して支持アーム９に伝達されて支持アーム９を上下揺動させ、これにより苗受けアーム１１及び苗受け１が上下に往復回動する（図８の実線と仮想線参照）。特許文献１に記載されたように、揺動アーム１３の揺動に伴って上方に揺動する支持アーム９がストッパー１６に当接してからも、揺動アーム１３はさらにスプリング機構１４のスプリング１４ａを圧縮しつつその上限まで揺動し、次いで揺動アーム１３は反対方向への揺動を開始する。従って、スプリング機構１４のスプリング１４ａが圧縮されている間、支持アーム９はストッパー１６に当接して静止し、この間、苗受け１は上端位置（苗受入位置）にある。
【０００７】
反転機構６は、一方の苗受けアーム１１に設置されたカムローラ１７と、カムローラ１７が従動回転するカム面を有するカム１８からなる。カム１８は機体７に固定されている。駆動クランク４が回転して支持アーム９及び苗受けアーム１１が上下に揺動するとき、カムローラ１７がカム１８のカム面に沿って回転移動し、これにより、苗受けアーム１１が支持軸１０を中心として回動する。これにより苗受け１は、図８に示す実線位置（上端位置）から仮想線位置（下端位置）に向けて下方へ回転移動する間、１８０度反転し、逆に仮想線位置から実線位置へ向けて上方へ回転移動する間、逆方向に１８０度反転して元の姿勢に戻る。
なお、特許文献１では、この反転機構６に相当するものは、機体に設置された苗受けロッド（特許文献１では番号９が付与されている）である。図８，９に示すポット苗移植機と特許文献１に記載されたポット苗移植機は、実質的にこの反転機構の構成のみが異なる。
【０００８】
なお、上記の例では、苗受け１がストッパー１６に当接して上端位置（苗受入位置）に所定時間停止するが、この時間は、押出杆によりポット苗箱のポット苗室からポット苗の根部を押し出し、続いて苗受け１の苗ホールド部１ａ内に押し込む際に必要とされる時間を勘案して適宜調整される。この押し出し及び押し込み作業に掛かる時間がごく短時間であれば、この停止時間自体が不要となる場合があり得る。その場合、ストッパー１６及びスプリング機構１４は必須とはいえず、揺動アーム１３の揺動がスプリング機構１４を介することなく、直接支持アーム９に伝達されるようにしてもよい。
【０００９】
この種のポット苗用移植機において、ポット苗の根鉢が崩れやすい場合、苗受け１が下方に回転移動する際、苗ホールド部１ａに押し込まれたポット苗の根鉢が苗ホールド部１ａから抜け出して、無端状横搬送ベルト３上に整列して落下させることができず、移植装置による移植が正常に行えない場合がある。あるいは、ポット苗の根鉢部が崩れなくても、移植速度を上げた場合に、同様の問題が生じることがある。
これは、この種のポット苗用移植機では、苗受け１を下端位置から上端位置まで必ず戻す必要があり、この上方への回転移動に要する時間がロス時間となって、実際に苗受け１がポット苗を搬送する時間が圧迫されて短くなり、下方への急速な回転移動を強いられるためである。
また、このロス時間があることにより、移植速度の向上が妨げられる。
さらに、苗受けを上下に往復回転移動させることから、移植速度を上げるに伴い、ポット苗の反転供給装置の振動が大幅に増加するという問題もある。  
【先行技術文献】
【特許文献】
【００１０】
【特許文献１】特公昭５５−３８０８２号公報
【発明の概要】
【発明が解決しようとする課題】
【００１１】
本発明は、図８，９に示すような供給方式をとる（ポット苗箱から押し出された横一列のポット苗を受け入れ、これを下方に搬送すると同時に前後方向の向きを反転させるポット苗の反転供給装置を有する）ポット苗用移植機において、苗受けの下方への回転移動及び反転に際してポット苗の根鉢が苗受けから抜け出すのを防止することを主たる目的とする。また、苗受けの移動のロス時間を減らして移植速度の向上を可能とすること、移植速度を上げることに伴う反転供給装置の振動の増大を抑えることを他の目的とする。
【課題を解決するための手段】
【００１２】
本発明は、苗載台上のポット苗箱から押し出された横一列のポット苗の各根鉢部を受け入れる断面凹状の苗ホールド部を有し、苗載台の近傍の苗受入位置で横一列のポット苗の各根鉢部を苗ホールド部に受け入れ、下方の苗取出位置に向けて回転移動するとき反転して前記ポット苗を下方に搬送すると共に前後方向の向きを反転させる苗受けと、前記苗取出位置の下方に水平支持され、前記苗取出位置にきた苗受けから取り出されたポット苗を載置し搬送する無端状横搬送ベルトと、無端状横搬送ベルトの端縁から送り出されるポット苗を圃場に植え付ける植付装置を備えたポット苗用移植機の改良に係り、一方向に回転する駆動軸に複数個の送りアームが回転対称的に固定され、各送りアームにそれぞれ苗受けが設置されている。各苗受けは、前記駆動軸の回転に伴い、前記駆動軸の周囲を同方向に回転移動し、その回転移動の過程で前記苗受入位置で横一列のポット苗を順次受け入れ、続いて下方の苗取出位置において前記ポット苗を取り出される。
【００１３】
前記ポット苗用移植機において、前記駆動軸を間欠回転させ、苗受けを前記苗受入位置において一時停止させることが望ましい。一時停止させる時間は、ポット苗箱のポット苗室から押し出したポット苗の根部を、苗受けの苗ホールド部内に押し込むのに要する時間を勘案して適宜設定される。
前記ポット苗用移植機において、例えば各苗受けに苗受けアームが設置され、各苗受けは苗受けアームを介して送りアームに設置されている。この場合、望ましくは、前記苗受けアームが前記送りアームに回動自在に軸支され、前記駆動軸の回転に伴って所定角度往復回動し、それにより前記苗受けが前記苗受入位置から回転移動する際に、前記駆動軸側に回動するようになっている。前記苗受けアームを所定角度往復回動させる機構として、機体に設置されたカムと、前記苗受けアームに設置され前記カムに沿って転動するカムローラからなるカム機構が考えられる。
【発明の効果】
【００１４】
本発明によれば、従来のポット苗用移植機のように、苗受け１を下端位置から上端位置まで戻すためのロス時間がなく、そのため、同じ移植速度でも、苗受けがポット苗を搬送する時間を従来機より長く設定（苗受けの移動速度を従来より遅く設定）することができ、ポット苗が苗受けの苗ホールド部から抜け落ちにくくなる。また、ポット苗が抜け落ちにくく、上記ロス時間もないことから、移植速度を向上させることができる。
また、苗受けは一方向に回転するから、上端位置と下端位置の間を往復回転移動させる従来機と異なり、ポット苗の反転供給装置の振動が軽減される。
【００１５】
なお、本発明に係るポット苗用移植機において、駆動軸の回転に伴って苗受けが支持軸を中心として所定角度往復回動するようにし、それにより苗受けが苗受入位置から回転移動する際に駆動軸側に回動するようにした場合、苗受けと他部材の干渉を防止する効果がある。具体的にいえば、前記苗受入位置において苗受けと苗載台が近接している場合に、前記苗受入位置から下方に回転する苗受けと苗載台や苗箱との相互干渉が防止できる。あるいは前記苗取出位置において苗受けと無端状横搬送ベルトが近接している場合に、苗受けと無端状横搬送ベルトとの相互干渉が防止できる。
【図面の簡単な説明】
【００１６】
【図１】本発明に係るポット苗用移植機の要部（主としてポット苗の反転供給装置の部分）側面図である。
【図２】図１に示す反転供給装置において苗受けが１８０°回転移動する間の該苗受けの軌跡を経時的に示す側面図である。
【図３】図１に示す反転供給装置において苗受けが１８０°回転移動する間の苗受け及びポット苗の位置及び姿勢を順次説明する側面図である。
【図４】同じく図１に示す反転供給装置において苗受けが１８０°回転移動する間の苗受け及びポット苗の位置及び姿勢を順次説明する側面図である。
【図５】本発明に係る別のポット苗用移植機の要部（主としてポット苗の反転供給装置の部分）側面図である。
【図６】図５に示す反転供給装置において苗受けが１２０°回転移動する間の苗受け及びポット苗の位置及び姿勢を順次説明する側面図である。
【図７】同じく図５に示す反転供給装置において苗受けが１２０°回転移動する間の苗受け及びポット苗の位置及び姿勢を順次説明する側面図である。
【図８】従来のポット苗用移植機の要部（主としてポット苗反転供給装置の部分）側面図である。
【図９】従来のポット苗用移植機の要部（主としてポット苗反転供給装置の部分）平面図である。
【発明を実施するための形態】
【００１７】
以下、図１〜７を参照して、本発明に係るポット苗用移植機について説明する。本発明に係るポット苗用移植機は、図８，９に示す従来のポット苗用移植機とは、ポット苗の反転供給装置のみが異なる。図１〜７において、図８，９に示すポット苗用移植機と実質的に同じ部位には同じ番号を付与している。
【００１８】
図１に示すポット苗用移植機において、ポット苗の反転供給装置２１は、ポット苗用移植機の駆動源（エンジン）の動力の一部により、例えばインデックスユニット（間欠割り出し装置）を介して間欠回転する駆動軸２２と、駆動軸２２に回転対称（２回対称）に固定された２本の送りアーム２３と、各送りアーム２３の先端に軸支（駆動軸２２と平行な支持軸２４）された略くの字形の苗受けアーム９と、各苗受けアーム９の一端に固定された苗受け１（１Ａ，１Ｂ）と、各苗受けアーム９の他端に回転自在（支持軸２４と平行な回転軸２５）に設置されたカムローラ２６と、機体７に対し固定されたカム２７と、図示していないが、カムローラ２６をカム２７の周面（カム面２７ａ）に常時押し付けるバネ（例えば送りアーム２３と苗受けアーム９の間に張架）等の付勢手段を有する。なお、カム面２７ａも駆動軸２２と同軸に回転対称（２回対称）である。
【００１９】
図１において、苗受け１Ａは上方停止位置（苗受入位置）にあり、苗受け１Ｂはその苗受入位置から１８０°回転した下方停止位置にある。駆動軸２２の間欠回転に伴い、送りアーム２３，２３が間欠回転し、苗受けアーム９，９及び苗受け１（１Ａ，１Ｂ）が駆動軸２２を中心として間欠回転し、その回転移動の過程で、苗受け１（１Ａ，１Ｂ）は前記両位置に一時停止を繰り返す。
図８，９に示す従来のポット苗用移植機と全く同様に、苗受け１Ａが前記苗受入位置に停止すると、横一列のポット苗がポット苗箱から前方に押し出されて、その根部が苗受け１Ａの苗ホールド部１ａ内に押し込まれ、続いて苗受け１Ａが下方に回転移動して苗取出位置を通過するとき（この回転移動に伴い、苗受け１Ａの向きは反転して、ポット苗の前後方向の向きを反転させる）、跳ね出し部材２によりポット苗は苗ホールド部１ａから取り出される。苗受け１Ａが苗取出位置を通過直後、該苗受け１Ａは停止する（この下方停止位置は、苗受入位置から１８０°回転移動した位置であり、図１において苗受け１Ｂが停止している位置である）。
【００２０】
上記のように苗受け１Ａが苗受入位置から１８０回転移動する間、すでに苗取出位置を通過してポット苗の取り出しを終えていた苗受け１Ｂは、下方停止位置から上方に１８０°回転移動し、苗受入位置に停止する。この回転移動に伴い、苗受け１Ｂの向きは反転して、再び横一列のポット苗を受け入れることができるようになる。
このように、一方の苗受け１Ａが苗の取り出しを終えて下方停止位置に停止すると同時に、他方の苗受け１Ｂは苗受入位置に停止し、ポット苗の受け入れ準備ができている。従って、本発明に係るポット苗用移植機では、図８，９に示す従来のポット苗用移植機のように、苗受け１を下端位置から上端位置まで戻すためのロス時間がない。
【００２１】
一方、この反転供給装置は、苗受けアーム９を支持軸２４を中心に所定角度往復回動させるためのカム機構を有する。このカム機構は、カムローラ２６とカム２７を備え、苗受け１（１Ａ，１Ｂ）が間欠的に回転移動するとき、カムローラ２６がカム２７の周面（カム面２７ａ）に沿って転動し、これにより、苗受けアーム９が支持軸２４を中心に所定角度往復回動する。図１に示すように、カム２７のカム面２７ａは周囲の２箇所で最も径が小さく（駆動軸２２からの距離が小さい）、カムローラ２６がこの箇所にきたとき、苗受け１（１Ａ，１Ｂ）が上方停止位置（苗受入位置）又は下方停止位置にくるように、カム２７とカムローラ２６の相対位置が設定されている。
【００２２】
このため、苗受け１（１Ａ，１Ｂ）が上方停止位置（苗受入位置）又は下方停止位置から回転移動を開始し、次に回転移動を停止するまでの間に、苗受けアーム９は支持軸２４を中心として、苗受け１（１Ａ，１Ｂ）が駆動軸２２に近づく方向及びその逆方向に所定角度往復回動する。
図２は、苗受け１（１Ａ，１Ｂ）が１８０°回転移動する間の該苗受け１（１Ａ，１Ｂ）の位置を経時的に示すものである。苗受け１Ａが実線で示す上方停止位置（苗受入位置）から回転移動を開始すると同時に、苗受け１Ａは駆動軸２２側に急速に回動し、下方停止位置に達する直前に反対方向に急速に回動して、下方停止位置に停止したときは元の位置に戻っている。苗受け１Ｂは苗受け１Ａとは回転対称的に回転移動及び回動する。
これにより、苗受け１Ａが上方停止位置（苗受入位置）から下方に回転移動するとき、近接して設置されている苗載台や苗箱との相互干渉が防止でき、また、下方停止位置直前の苗取出位置近傍において無端状横搬送ベルト３との相互干渉が防止できる。
【００２３】
図３，４に、苗受け１（１Ａ，１Ｂ）が１８０°回転移動する間の該苗受け１（１Ａ，１Ｂ）の回転移動と回動及びポット苗の搬送の状態が、苗載台、苗箱、無端状横搬送ベルト３等と共に、順次示されている。図３，４に示す苗受け１（１Ａ，１Ｂ）の位置は、図２に経時的に示す苗受け１（１Ａ，１Ｂ）の位置に対応する。なお、図３，４において、２８はポット苗、２９はポット苗箱、２９ａはポット苗室、３１は苗載台、３２は押出杆、３３は植付装置、３４は植付装置のうち植付爪であり、これらは図８，９に示す従来のポット苗用移植機でも同じである。
【００２４】
図３，４について簡単に説明する。
（図３（ａ））；苗受け１Ａが上方停止位置（苗受入位置）に停止し、押出杆３２がポット苗箱２９の後方側（底面側）から横一列のポット苗室２９ａに突入し、ポット苗２８を前方に押し出し、押し出されたポット苗２８の根部が、前方に停止した苗受け１Ａの苗ホールド部１ａ（図１参照）内に押し込まれる。この間、苗受け１Ｂ（ポット苗２８を取出済み）は、下方停止位置に停止している。
（図３（ａ）〜図３（ｂ））；駆動軸２２が回転して、苗受け１Ａが下方に回転移動し、同時に支持軸２４を中心として駆動軸２２に近づく方向（苗載台３１やポット苗箱２９から離れる方向）に回動する。苗受け１Ａと苗載台３１やポット苗箱２９が近接配置されていると、この回動がなければ、回転移動する苗受け１Ａが苗載台３１やポット苗箱２９と相互に干渉するおそれがあるが、この回動により相互干渉を免れることができる。  
【００２５】
（図３（ｂ）〜図４（ａ））；苗受け１Ａが下方に回転移動する間、苗受け１Ａが支持軸２４を中心として駆動軸２２に近づく方向（苗載台３１やポット苗箱２９から離れる方向）に回動した状態であるので、苗受け１Ａの回転移動とともに反転を開始したポット苗２８と苗載台３１やポット苗箱２９との相互干渉も防止できる。
（図４（ａ）〜図４（ｃ））；苗受け１Ａが下方に回転移動する間、苗受け１Ａが支持軸２４を中心として駆動軸２２に近づく方向（苗載台３１やポット苗箱２９から離れる方向）に回動した状態であるので、苗受け１Ａと無端状横搬送ベルト３との相互干渉も防止できる。苗受け１（１Ａ，１Ｂ）が図４（ｃ）の状態からさらに回転移動し、苗受け１Ａが苗取出位置を通過するときポット苗２８が取り出され、続いて苗受け１Ａが下方停止位置に停止し、苗受け１Ｂが上方停止位置（苗受入位置）に停止する。
【００２６】
図５は、別の反転供給装置２１を示す。この反転供給装置２１では、駆動軸２２に回転対称（３回対称）に３本の送りアーム２３が固定され、各送りアーム２３に苗受けアーム９が軸支され、各苗受けアーム９の一端に苗受け１（１Ａ，１Ｂ，１Ｃ）が固定され、他端にカムローラ２６が軸支されている。駆動軸２２の回転は、１２０°回転毎に一時停止する間欠回転である。他の点は、カム２７の形状を含めて、図１に示す反転供給装置２１と同じである。
【００２７】
図５において、苗受け１Ａは上方停止位置（苗受入位置）にあり、苗受け１Ｂはその苗受入位置から１２０°回転した第２停止位置、苗受け１Ｃはさらに１２０°回転した第３停止位置にある。駆動軸２２の間欠回転に伴い、送りアーム２３が間欠回転し、苗受けアーム９及び苗受け１（１Ａ，１Ｂ，１Ｃ）が駆動軸２２を中心として間欠回転し、その回転移動の過程で、苗受け１（１Ａ，１Ｂ，１Ｃ）は前記３つの位置に一時停止を繰り返す。また、駆動軸２２の間欠回転に伴い、カムローラ２６がカム２７のカム面２７ａ上を転動し、各苗受け１（１Ａ，１Ｂ，１Ｃ）は、図１に示す反転供給装置２１の苗受け１（１Ａ，１Ｂ）と全く同様の形態で、支持軸２４を中心として、駆動軸２２に近づく方向及びその逆方向に所定角度往復回動する。駆動軸２２の回転に伴う苗受け１（１Ａ，１Ｂ，１Ｃ）の支持軸２４を中心とした往復回動のタイミングは、図１に示す反転供給装置２１と同じである。
【００２８】
図６，７に、苗受け１（１Ａ，１Ｂ，１Ｃ）が１２０°回転移動する間の該苗受け１（１Ａ，１Ｂ，１Ｃ）の回転移動と回動及びポット苗の搬送の状態が、苗載台、苗箱、無端状横搬送ベルト３等と共に、順次示されている。
図６，７についてごく簡単に説明する。
（図６（ａ））；苗受け１Ａが上方停止位置（苗受入位置）に停止し、押出杆３２がポット苗箱２９の後方側（底面側）から横一列のポット苗室２９ａに突入し、ポット苗２８を前方に押し出し、押し出されたポット苗２８の根部が、前方に停止した苗受け１の苗ホールド部１ａ（図５参照）内に押し込まれる。この間、ポット苗２８を保持した苗受け１Ｂは第１停止位置、苗受け１Ｃは第２停止位置に停止している。
【００２９】
（図６（ａ）〜図７（ｂ））；駆動軸２２が回転すると、苗受け１Ａは下方に回転移動し、苗受け１Ｂは苗取出位置を通過する際にポット苗が取り出され、苗受け１Ｃは上方に回転移動する。苗受け１（１Ａ，１Ｂ，１Ｃ）が図７（ｂ）の状態からさらに少し回転移動すると、ポット苗２８を受け入れた苗受け１Ａは第２停止位置に停止し、苗受け１Ｂは第３停止位置に停止し、苗受け１Ｃは上方停止位置（苗受入位置）に停止する。なお、苗受け１（１Ａ，１Ｂ，１Ｃ）が回転移動する間、該苗受け１（１Ａ，１Ｂ，１Ｃ）が支持軸２４を中心として所定のタイミングで回動する点及びそれによる作用効果は、図１に示す反転供給装置２１と同じである。
【００３０】
この反転供給装置２１においても、苗受け１Ａが苗受入位置から１２０回転移動する間、すでに苗取出位置を通過してポット苗の取り出しを終えていた苗受け１Ｃは、第２停止位置から上方に１２０°回転移動し、苗受入位置に停止する。苗受入位置に停止した苗受け１Ｃの向きは、これが苗取出位置にあったときと比べると１８０°反転して、再び横一列のポット苗を受け入れることができるようになる。
このように、一つの苗受け１Ａが苗の受け入れを終えて第２停止位置に停止すると同時に、別の苗受け１Ｃが苗受入位置に停止し、ポット苗の受け入れ準備ができている。従って、本発明に係るポット苗用移植機では、図８，９に示す従来のポット苗用移植機のように、苗受け１を下端位置から上端位置まで戻すためのロス時間がない。
また、苗受け１（１Ａ，１Ｂ，１Ｃ）と苗載台や苗箱との相互干渉が防止でき、苗取出位置近傍において無端状横搬送ベルト３との相互干渉の防止もできる。
【００３１】
なお、上記の例においてはいずれも、駆動軸２２を間欠回転させたが、ポット苗のポット苗室からの押し出し及び苗受け１の苗ホールド部１ａへの押し込み作業に掛かる時間がごく短時間であれば、苗受け１を苗受入位置に停止させる必要がない場合もあり得る。この場合、駆動軸は連続回転でもよい。
また、上記の例において、苗受け１に固定した苗受けアーム９を送りアーム２３に回動自在に軸支させ（支持軸２４）、カム２７及びカムローラ２６の作用により、駆動軸２２の回転に伴って苗受け１を支持軸２４を中心に所定のタイミングで往復回動させたが、回転移動する苗受け１及び苗受け１に保持されたポット苗２８が、ポット苗用移植機の苗載台、その他の部位と相互干渉しないのであれば、苗受け１を上記のように往復回動させる必要はない。
【符号の説明】
【００３２】
１  苗受け
９  支持アーム
１１  苗受けアーム
２２  駆動軸
２３  送りアーム
２４  支持軸
２６  カムローラ
２７  カム
２７ａ  カム面
２８  ポット苗
２９  ポット苗箱
２９ａ  ポット苗室
３１  苗載台
３２  押出杆
３３  植付装置
３４  植付爪
【図１】
2011019410.tif 000003
【図２】
2011019410.tif 000004
【図３】
2011019410.tif 000005
【図４】
2011019410.tif 000006
【図５】
2011019410.tif 000007
【図６】
2011019410.tif 000008
【図７】
2011019410.tif 000009
【図８】
2011019410.tif 000010
【図９】
2011019410.tif 000011